(57)【要約】      （修正有）【課題】電子機器に関連する行動を他人に伝達することができるシステムを提供する。【解決手段】操作元端末により行われた操作と、その結果としての操作先装置におけるイベントとを自動的に辞書登録し、操作に関連する文字列と、操作に基づく操作先装置へのコマンドとを組みにして管理することで、操作先装置を送り先の端末装置から簡単に操作する。操作履歴を操作先装置に残すことで、過去に遡って操作履歴を確認したい場合に、操作先装置から操作履歴を取得できる。【選択図】図４
2009017001.tif 000002
【特許請求の範囲】
【請求項１】
操作先装置との間において、通信を行う第１の通信手段と、
入力操作を行う操作手段と、
該操作手段に基づくユーザー操作の内容を反映した前記操作先装置におけるイベント情報を前記第１の通信手段により受信し、前記ユーザー操作の内容と関連付けして記憶する記憶手段と
を有することを特徴とする操作元端末。
【請求項２】
操作先装置との間において、通信を行う第１の通信手段と、
該第１の通信手段により前記操作先装置の操作インターフェイスを受け取り、該操作インターフェイスを提示する表示手段と、
入力操作を行う操作手段と、
該操作手段による前記操作インターフェイスに基づくユーザー操作の内容を反映した前記操作先装置におけるイベント情報を前記第１の通信手段により受信し、前記ユーザー操作の内容と関連付けして記憶する記憶手段と
を有することを特徴とする操作元端末。
【請求項３】
文字列化された前記操作内容と、前記イベント情報と、を辞書登録手段により登録することを特徴とする請求項１又は２に記載の操作元端末。
【請求項４】
前記操作先装置を操作した操作履歴を記憶する記憶手段と、
該操作履歴を、前記第１の通信手段により前記操作先装置に送信することにより、該操作先装置に操作履歴を記憶させることを特徴とする請求項１又は２に記載の操作元端末。
【請求項５】
前記操作先装置は電子機器であり、前記イベント情報は、前記操作内容を検索キーとして電子番組表から取得した番組情報の少なくとも一部を含むことを特徴とする請求項３に記載の操作元端末。
【請求項６】
さらに、操作によりユーザー辞書に登録された文字列に、操作に基づく処理を前記操作先装置に行わせるためのコマンドを含むコマンド情報を関連付けする関連付け手段を備えたことを特徴とする請求項１から５までのいずれか１項に記載の操作元端末。
【請求項７】
前記関連付け手段により関連付けされた前記文字列と前記コマンド情報とを組みとして、電子メールを作成し、該電子メールを他の操作元端末に前記第１の通信手段により送信可能とすることを特徴とする請求項６に記載の操作元端末。
【請求項８】
請求項１から７までのいずれか１項に記載の操作元端末により制御される操作先装置であって、
自己のユーザーインターフェイスを前記操作元端末に提示する第２の通信手段と、
操作元端末を識別する識別手段と、
操作元端末毎に、前記操作履歴を記憶する第２の記憶手段と、
自己の操作履歴を管理する操作履歴管理手段と
を有する操作先装置。
【請求項９】
第１の操作元端末と、操作先装置と、第２の操作元端末と、を含むコミニュケーション方法であって、
前記操作元端末が、端末の固有番号を前記操作先装置に対して送信するステップと、
返信として前記操作先装置のユーザーインターフェイスを表示させる情報を受信し、表示させるステップと、
表示されたユーザーインターフェイスに基づいて操作を行った操作内容を、前記操作先装置に送信するステップと、
操作内容を反映した前記操作先装置におけるイベント情報を前記第１の通信手段により受信し、前記操作内容と関連付けして記憶する記憶ステップと
を有することを特徴とするコミニュケーション方法。
【請求項１０】
第１の操作元端末と、操作先装置と、第２の操作元端末と、を含むコミニュケーション方法であって、
前記操作先装置が、前記操作元端末の固有番号を受信するステップと、
返信として自己のユーザーインターフェイスを表示させる情報を前記操作元端末に送信するステップと、
表示されたユーザーインターフェイスに基づいて行われた操作内容を、受け取るステップと、
操作内容を反映した前記操作先装置におけるイベント情報を取得し、前記操作内容と関連付けして前記操作元端末に送信するステップと
を有することを特徴とするコミニュケーション方法。
【請求項１１】
請求項９又は１０に記載のステップをコンピュータに実行させるためのプログラム。
【発明の詳細な説明】
【技術分野】
【０００１】
本発明は、端末装置に関し、特に、電子機器等に向けてリモコン制御信号を送信することができる端末装置であって、その操作履歴を利用したコミュニケーション技術に関するものである。
【背景技術】
【０００２】
端末操作の操作履歴を利用して電子機器等の制御に関する利便性を向上させる技術が提案されている。例えば、特許文献１に記載の技術では、操作履歴を使い、ユーザー嗜好を分析して、次の選択の嗜好にあうコンテンツを選択する。この際、操作履歴を蓄積するために、サーバー装置を利用している。
【０００３】
【特許文献１】特開２００４−１８５６１２号公報
【発明の開示】
【発明が解決しようとする課題】
【０００４】
上記の特許文献１に記載の技術は、サーバー装置を利用しており、電子機器と、この電子機器を操作する端末装置とでは実現できないという問題がある。
【０００５】
ところで、近年、コンテンツを見るとその感想を述べたりするようなコミュニケーションが日常的に行われている。この際、何を見たかという情報は重要であるが、そのような情報を伝達することが考慮されていなかった。
【０００６】
ユーザーにとって、テレビ番組を視聴するということは、もはや生活の一部であり、普段の生活の中で何をみているか意識しながら視聴していることは少なくなった。意識して視聴することがなくなったことで、番組は視聴したが、「その番組が何時放送があったものなのか？」、「チャンネルは何であるのか？」、という詳細情報までは覚えていないため、詳細情報を例えば友人に伝えられないという問題がある。
【０００７】
さらに最近では、ハードディスク（ＨＤＤ）レコーダーに代表される放送番組を記録可能な機器の容量の増大により、多くのコンテンツを保存することが可能になり、自分が観たいコンテンツまで辿りつくのが、かなり大変になってきたという問題がある。
【０００８】
本発明は、電子機器の操作に基づく情報を他人に伝達することができる技術を提供することを目的とする。
【課題を解決するための手段】
【０００９】
本発明の一観点によれば、操作先装置との間において、通信を行う第１の通信手段と、入力操作を行う操作手段と、該操作手段に基づくユーザー操作の内容を反映した前記操作先装置におけるイベント情報を前記第１の通信手段により受信し、前記ユーザー操作の内容と関連付けして記憶する記憶手段と、を有することを特徴とする操作元端末が提供される。これにより、操作に関連して生じる操作先装置におけるイベント情報を、関連付けて記憶することができる。
【００１０】
また、操作先装置との間において、通信を行う第１の通信手段と、該第１の通信手段により前記操作先装置の操作インターフェイスを受け取り、該操作インターフェイスを提示する表示手段と、入力操作を行う操作手段と、該操作手段による前記操作インターフェイスに基づくユーザー操作の内容を反映した前記操作先装置におけるイベント情報を前記第１の通信手段により受信し、前記ユーザー操作の内容と関連付けして記憶する記憶手段と、を有することを特徴とする操作元端末が提供される。これにより、操作元端末は、操作先装置の操作に適したユーザーインターフェイスで操作先装置を制御可能である。また、操作と操作に基づくイベント情報との関連付けがしやすいという利点がある。
【００１１】
文字列化された前記操作内容と、前記イベント情報と、を辞書登録手段により登録することが好ましい。前記文字列を再入力することで、前記イベント内容を取得して表示させることができる。従って、ユーザーは、文字列入力によりイベント内容を自動的に知ることができる。第１の通信手段により他の端末装置に送信することも可能である。
【００１２】
前記操作先装置を操作した操作履歴を記憶する記憶手段と、該操作履歴を、前記第１の通信手段により前記操作先装置に送信することにより、該操作先装置に操作履歴を記憶させるようにしても良い。前記操作先装置は電子機器であり、前記イベント情報は、前記操作内容を検索キーとして電子番組表から取得した番組情報の少なくとも一部を含むようにしても良い。電子機器は、例えば家庭内に設置されている電子機器であるが、例えば、テレビジョン受信装置などを含む。
【００１３】
さらに、操作によりユーザー辞書に登録された文字列に、操作に基づく処理を前記操作先装置に行わせるためのコマンドを含むコマンド情報を関連付けする関連付け手段を備えることが好ましい。コマンド情報を他の端末に送ることで、他の端末から前記操作先装置を制御することができる。
【００１４】
前記関連付け手段により関連付けされた前記文字列と前記コマンド情報とを組みとして、電子メールを作成し、該電子メールを他の操作元端末に前記第１の通信手段により送信可能とすることが好ましい。
【００１５】
上記に記載の操作元端末により制御される操作先装置であって、自己のユーザーインターフェイスを前記操作元端末に提示する第２の通信手段と、操作元端末を識別する識別手段と、操作元端末毎に、前記操作履歴を記憶する第２の記憶手段と、自己の操作履歴を管理する操作履歴管理手段と、を有する操作先装置が提供される。
【００１６】
本発明の他の観点によれば、第１の操作元端末と、操作先装置と、第２の操作元端末と、を含むコミニュケーション方法であって、前記操作元端末が、端末の固有番号を前記操作先装置に対して送信するステップと、返信として前記操作先装置のユーザーインターフェイスを表示させる情報を受信し、表示させるステップと、表示されたユーザーインターフェイスに基づいて操作を行った操作内容を、前記操作先装置に送信するステップと、操作内容を反映した前記操作先装置におけるイベント情報を前記第１の通信手段により受信し、前記操作内容と関連付けして記憶する記憶ステップと、を有することを特徴とするコミニュケーション方法が提供される。
【００１７】
また、第１の操作元端末と、操作先装置と、第２の操作元端末と、を含むコミニュケーション方法であって、前記操作先装置が、前記操作元端末の固有番号を受信するステップと、返信として自己のユーザーインターフェイスを表示させる情報を前記操作元端末に送信するステップと、表示されたユーザーインターフェイスに基づいて行われた操作内容を、受け取るステップと、操作内容を反映した前記操作先装置におけるイベント情報を取得し、前記操作内容と関連付けして前記操作元端末に送信するステップと、を有することを特徴とするコミニュケーション方法であっても良い。上記に記載のステップをコンピュータに実行させるためのプログラムやそれを記憶するコンピュータ読みとり可能な記録媒体、伝送媒体により伝送されるプログラムであっても良い。
【発明の効果】
【００１８】
本発明によれば、操作元端末により行われた操作と、その結果としての操作先装置におけるイベントと、を自動的に辞書登録するため、操作に基づく操作先装置におけるイベント情報を簡単に思い出すことができる。また、情報を正確に伝えることができる。
【００１９】
さらに、操作に関連する文字列と、操作に基づく操作先装置へのコマンドと、を組みにして管理することで、操作先装置を、送り先の端末装置から簡単に操作することができる。従って、「一緒に見よう」という意向が本当であることを確認し、情報を共有することができる。
【００２０】
さらに、操作履歴を操作先装置に残すことで、過去に遡って操作履歴を確認したい場合に、操作先装置から操作履歴を取得できるため、便利である。
【発明を実施するための最良の形態】
【００２１】
以下、本発明の一実施の形態による端末装置を用いたコミュニケーションシステムについて図面を参照しながら説明する。図１は、操作元端末の一構成例を示す図である。図２は、操作先装置の一構成例を示す図である。図３は、コマンド関連付け手段の一構成例を示す図である。図２に示す操作先装置は、例えば家庭内に設置されている電子機器であるがか、ここでは、テレビジョン受信装置を例にして説明を行う。図１は、操作先装置を制御することができるリモコン装置やリモコン機能を備えた携帯電話機などの携帯端末装置などがあげられる。以下、これらの組み合わせを例にして説明を行う。
【００２２】
図１に示すように、接続元装置である携帯端末装置１０は、通信手段１１と、表示手段１２と、操作手段１３と、記憶手段１４と、操作履歴手段１５と、を有している。通信手段は、一般的な携帯電話機の通信手段でもよいし、リモコン装置に用いられる赤外線による通信手段でもよい。赤外通信や、無線ＬＡＮ、Blue Tooth、通信網を使ったいずれでもかまわない。
【００２３】
表示手段１２は、例えばＬＣＤディスプレイなどである。操作手段は、数字などの操作ボタンや、方向キー、選択・決定キーなどを含む。記憶手段は、一般的なメモリ又はハードディスクなどが該当する。操作履歴手段１５については後述する。記憶手段１４には、携帯電話機の電話番号などのような固有の番号を持ち、個人専用の端末を識別することができる。
【００２４】
図２に示すように、通信先装置２０は、通信元装置１０との間で通信することができる通信手段２１と、後述する操作手順手段２２と、識別手段２３と、記憶手段２４と、操作履歴手段２５と、表示手段２７等のテレビジョン受信に関する基本的な公知の構造（ここでは図示を省略している）と、を有している。
【００２５】
図３は、後述する関連付け手段により関連付けされたデータ構造３０の例を示す図である。図３に示すように、関連付け手段により関連付けされたデータ構造は、携帯電話番号や機器ＩＤなどの携帯端末１０に固有の端末固有番号３１と、対象となるコンテンツに固有のコンテンツ固有番号３２と、コンテンツに関するコンテンツ情報３３と、接続元端末装置１０を用いて、コンテンツを視聴するためのコマンド、例えばリモコン装置からの赤外線によるコマンドと同様に接続先端末装置２０を機能させるためのコマンド情報３４と、を有している。
【００２６】
図４は、上記の操作元端末１０、操作先装置２０を有するコミュニケーションシステムにおける通信によるやり取りを示すシーケンス図である。以下に図１から図４までを参照しながら、両者間のやり取りについて説明を行う。
【００２７】
まず、ステップＳ４１において、操作元端末１０は、端末の固有番号３１を操作先装置２０であるテレビジョン受信装置に対して通信手段１１を介して送信する。次いで、ステップＳ４２において、テレビジョン受信装置２０は、操作元端末１０からの通信により、ステップＳ４１において通知された端末固有番号３１をもとに、操作元端末１０に関して識別手段２３により識別する。次いで、ステップＳ４４において、テレビジョン受信装置２０は、自己の操作先装置固有番号（テレビジョン受信装置のＩＤ（製造番号又は後から付与された固有の番号など））を操作元端末１０に通知（送信）し、ステップＳ４５において操作手順手段２２を操作元端末１０に送信する。操作手順手段２２とは、例えば、テレビジョン受信装置２０を操作するためのユーザーインターフェイスを端末装置１０の表示手段１２に表示させるための情報である。表示手段で、メニュー画面を表示させる。
【００２８】
ステップＳ４６において操作元端末１０は、テレビジョン受信装置２０から送信された操作手順手段２２を受信する。そして、ステップＳ４７において、テレビジョン受信装置２０の操作が出来るように、例えば、自己の表示手段１２にテレビ操作画面（ユーザーインターフェイス：メニュー画面など）を表示させる。
【００２９】
ステップＳ４８において、ユーザーは、表示手段１２に表示されたテレビ操作画面に基づいて、操作手段（操作ボタンなど）１３を用い操作を行う。ステップＳ４９において、操作画面を用いた操作手段１３によるユーザー操作の内容は、操作元端末１０の通信手段１１を介して、テレビジョン受信装置２０に対して送信される。
【００３０】
次いで、ステップＳ５０において、操作元端末１０の操作履歴を管理する操作履歴手段１５は、ユーザー操作の履歴を一元管理し、ステップＳ５１において記憶装置にユーザー操作の履歴を記憶する。
【００３１】
一方、ステップＳ５２においてテレビジョン受信装置２０は、操作元端末１０の通信手段１１からのユーザー操作に関するデータを受信し、このユーザー操作に基づく処理を実行する。
【００３２】
次いで、ステップＳ５３において、テレビジョン受信装置２０の操作履歴手段２５は、操作元端末１０毎に、上記の操作履歴を管理し、ステップＳ５４において、記憶手段２４に操作元端末１０毎に操作履歴を記憶する。
【００３３】
操作元端末１０の操作履歴手段１５とテレビジョン受信装置などの操作先装置２０の操作履歴手段２５とは、容量の違いがあるという意味が含んでいる。操作元端末１０は、携帯電話機などの小型機器であるとすると、記憶容量は小さい。操作先装置２０は、大型機器であるとすると、記憶容量が大きい。従って、例えば操作履歴のうち上から１０個までは同じ情報を持っており、それ以降の操作履歴は、操作先装置２０は保持しているが、操作元端末１０は、保持しておらず、問い合わせが必要となるケースが想定される。
【００３４】
次いで、ステップＳ５５において、テレビジョン受信装置２０は、次の操作手順手段２２を操作元端末１０に対して送信する。
【００３５】
以下、ステップＳ４１からＳ５５までの処理を繰り返し、操作を継続して行う。操作元端末１０の記憶手段１４の記憶容量が少ない場合には、操作元端末１０は、最新の操作の順番に上位を記憶し、その前の操作記録は、テレビジョン受信装置２０側の操作履歴手段２５が保持するようにしても良い。このようにすることで、過去に遡って操作履歴を確認したい場合には、テレビジョン受信装置２０側の操作履歴手段２５を呼び出し、通信手段２１・１１を介して、操作履歴を操作元端末１０から取得することができる。
【００３６】
また、ユーザー毎に操作状況を保存することが可能である。以上に説明したようにして、操作元端末１０と、テレビジョン受信装置２０とは、対応するユーザーの操作履歴をそれぞれにおいて記憶することができる。上記のユーザー操作を分析し、文章化する例について図５、図６も参照しながら以下に説明する。図５は、記憶されている操作履歴をまとめたテーブル例（操作履歴手段）を示す図であり、図６は、端末装置１０とテレビジョン受信装置２０とのやり取りの具体的な例を示す図である。
【００３７】
操作元端末１０は、操作手段１３により、テレビジョン受信装置２０を操作している状態、すなわち、テレビジョン受信装置２０の操作を開始し、テレビジョン受信装置２０への操作以外の操作を行うまでの間を「テレビを見た」と定義し、「テレビ」、「見た」、に関係する次文節候補として、テレビを見た時間（図５の開始イベントの時間と終了イベントの時間）を辞書登録手段（記憶手段１４の一部）に登録する。テレビジョン受信装置を操作した日時と、場所、チャンネルから、どの番組を視聴したかに関して、例えばＥＰＧ(電子番組表)から抽出することができる。このようにして、チャンネル選択操作等から、番組名を判別し、その番組を見たと判断すると、その番組名と、放送日と、を文節予測に合わせて、辞書登録機能を用いて記憶手段１４に登録する。尚、辞書登録機能は、一般的な携帯電話機に設けられている公知の機能であり、例えば、「テレビジョン受信装置」という語を一旦は文字入力し、これに関して、例えば、「テレビ」という語句で登録すると、次回に、「テレビ」と入力するだけで、入力候補として「テレビジョン受信装置」が表示され、ユーザーはこの表示を選択・決定するだけで、「テレビジョン受信装置」を入力したことになる機能である。
【００３８】
以下に、１８日の２０時に、「カエル達の神秘」という番組を見た場合を例にして説明する。
【００３９】
まず、操作元端末１０において、テレビジョン受信装置を制御する操作を行う。５１は操作部であり、入力ボタンを含み、５３は決定キー、５５ａは方向キーである。すると、テレビジョン受信装置の操作から、ＥＰＧデータ内を検索し、対応する番組名を抽出する。図６（ａ）に示すように、辞書登録機能を利用すると、ユーザー操作に基づき「テレビを見た」という文節と、図６（ｂ）に示すように、対応する視聴番組名「カエル達の神秘」と、という単語を関係付けて、図６（ｃ）に示すように、記憶手段１４にこれらを登録することができる。すなわち、「テレビを見た」という文節と、対応する視聴番組名「カエル達の神秘」と、が関連付けされて記録される。これにより、例えば友人に対して、電子メールでテレビ視聴に関するイベントを知らせたい時に（図６（ｃ）参照）、端末装置１０ａにおいて、「テレビ」まで入力すると、次の入力候補として「カエル達の神秘」が表示される。
【００４０】
例えば、ＡさんがＢさんに対してコマンド付き電子メールを送信する場合を例にして説明する。
【００４１】
Ａさんが、操作元端末１０で、操作手段（入力ボタン）を使い文字を入力し、「テレビ」と入力する（図６（ａ））。
【００４２】
変換候補又は、次入力候補として、例えば、昨日見たテレビのタイトル「カエル達の神秘」表示され（図６（ｂ）参照）、これを選択し入力する。
【００４３】
操作履歴手段１５は、「カエル達の神秘」が番組名であり、過去に操作したデータである事を記憶している。従って、図３に示すコンテンツ関連付け手段３０に基づいて、コンテンツを指定するためのコンテンツ指定用制御コードと、言葉「カエル達の神秘」と、を関連付けする。
【００４４】
コンテンツ関連付け手段３０は、上述のように、コンテンツが保存してある端末の端末固有番号３１と、コンテンツ固有の番号であるコンテンツ固有番号３２と、コンテンツのタイトルや放送時間チャンネル、等のコンテンツ情報３３と、上記コンテンツを指定するためのコマンド（制御コード）と、を有している。より詳細には、コンテンツ関連付け手段３０は、図５に示すテーブル形式で情報を記憶しているのが好ましく、例えば、登録順に付与される登録ＩＤと、開始イベント、例えばテレビ操作開始イベントと、終了イベント、例えばテレビ操作終了イベントと、イベント情報として、例えば、番組名「カエル達の神秘」と、放送日時（１８日２０時）と、イベント名（テレビを見た）、この番組を見るための処理をテレビジョン受信装置に行わせるためのコマンドコードとが、関連付けされて記憶されていてもよい。  このように、上記テーブルの内容を持つ電子メール作成を終了すると、他の人、例えばＢさんの端末装置１０ａに対して電子メールを送信する（図６（ｃ）の符号Ｌ１）。
【００４５】
図６（ｄ）に示すように、Ｂさんの端末装置１０ａは、電子メールを受信し、例えばＡさんの家に遊びに行き、表示部１２ａに表示されているデータ６３ａを選択し、電子メールの送信ボタン６１ａを押すと、データ６３ａと関連する上記コマンドが電子メールによりテレビジョン受信装置２０に送信され（Ｌ２）、例えば、テレビジョン受信装置２０内のコンテンツ「カエル達の神秘」をコマンドに基づいて抽出し、このコンテンツを現在放送中であれば表示手段２７に表示させ再生させることができる。或いは、コンテンツ「カエル達の神秘」が現在放送中ではないがテレビジョン受信装置と関連付けされたＨＤＤレコーダに記録されていれば、これを動作させてテレビジョン受信装置により上記の記録済みコンテンツを再生させることも可能である。まだ放送されていないコンテンツ（同じ番組における次週の番組等）であれば、これをＨＤＤレコーダに録画させるように指示することも可能である。
【００４６】
以上に説明したように、本実施の形態によるコミュニケーションシステムにおいては、
操作元端末１０と、テレビジョン受信装置２０と、のそれぞれにおいて、操作履歴を保存することにより、例えば、操作元端末１０の記憶手段の記憶容量が限られている場合でも、操作元端末１０は、最新の操作順に上位の操作とそれに関連する情報とを関連付けして記憶する。尚、最新の情報よりも古い（その前の）操作記録は、テレビジョン受信装置２０側の操作履歴手段２５が保持しておいても良い。例えば、過去に遡って、操作履歴を確認したい場合には、テレビジョン受信装置２０側の操作履歴手段２５を呼び出し、通信手段２１を介して、操作履歴を操作元端末１０が取得することが出来る。
【００４７】
また、複数の端末装置のユーザーがいる場合に、それぞれ、ユーザー毎に操作状況を保存することも可能である。送信元端末装置１０においては、辞書登録機能を利用して自分が行った操作を、自動的に辞書登録することができる。これにより、ユーザーは、自分の行った操作により、自分見た番組を自動的に（意識せずに）記憶させておくことができ、すなわち装置にその記憶を記憶させ思い出させることができ、知り合いなどに正確に伝えることが可能となる。
【００４８】
また、端末装置に、コマンド関連付け手段を設けることにより、コンテンツを指定するコードと、言葉「カエル達の神秘」と、を関連付けさせ、文字列とコマンドとをユーザーの知り合いに対して、ユーザーの家の機器のコマンド付きの情報を送付することが出来る。従って、例えばテレビジョン受信装置と接続されているＨＤＤレコーダ内に多数のコンテンツが保存されている場合に、これらのコンテンツデータ中から、所望のコンテンツ又はそれに関する情報を探すことが容易になり、探す手間が省けるという利点がある。
【００４９】
従って、例えば、ユーザーの友人が、ユーザーの所有する機器を操作することができることから、ユーザーと友人とが「一緒に見よう」という意向が本当であることの裏付けとなり、空間的共有することが出来る。
【産業上の利用可能性】
【００５０】
本発明は、端末装置に利用可能である。
【図面の簡単な説明】
【００５１】
【図１】図１は、本発明の一実施の形態による操作元端末の一構成例を示す図である。
【図２】図２は、本実施の形態による操作先装置の一構成例を示す図である。
【図３】図３は、コマンド関連付け手段の一構成例を示す図である。
【図４】コミュニケーションシステムにおける通信によるやり取りを示すシーケンス図である。
【図５】記憶されている操作履歴をまとめたテーブル例（操作履歴手段）を示す図である。
【図６】端末装置とテレビジョン受信装置とのやり取りの具体的な例を示す図である。
【符号の説明】
【００５２】
11…通信手段
12…表示手段
13…操作手段
14…記憶手段
15…操作履歴手段
21…通信手段
22…操作手順手段
23…識別手段
24…記憶手段
25…操作履歴手段
31…端末固有番号
32…コンテンツ固有番号
33…コンテンツ情報
【図１】
2009017001.tif 000003
【図２】
2009017001.tif 000004
【図３】
2009017001.tif 000005
【図４】
2009017001.tif 000006
【図５】
2009017001.tif 000007
【図６】
2009017001.tif 000008